(57)【要約】【課題】音を聴取したいときと、聴取したくないときの切り換えができるようにする。【解決手段】壁部２へ振動を伝達させないように振動発生器３を前記壁部２に取り付け、前記振動発生器３の振動出力部５を壁部２から離している。そして、前記振動出力部５に着脱可能な振動具１４（枕）を配設している。振動発生器３の振動出力部５に振動具１４を当接させると、振動出力部５の振動が振動具１４に伝達され、振動具１４自体が発音体となって発音する。そして、振動発生器３の振動出力部５から振動具１４を分離又は離反などさせると、振動発生器３の振動が伝達されなくなり、発音させない状態となる。このように、この発明では発音状態と、発音させない状態とを選択的に切り換えて使用することが可能である。【選択図】  図１
2006140669.tif 000002
【特許請求の範囲】
【請求項１】
壁部へ振動を伝達させないように振動発生器を当該壁部に取り付け、前記振動発生器の振動出力部に着脱可能な振動具を配設したことを特徴とする振動発生器付き壁。
【請求項２】
前記壁部を浴槽近傍の壁部とし、前記振動具を浴槽へ浸かった入浴者の頭部を支える枕とした請求項１に記載の振動発生器付き壁。
【請求項３】
前記壁部に取り付けられる係止具に振動発生器を取り付け、前記振動具を係止具に脱着自在に係止可能とした請求項１に記載の振動発生器付き壁。
【請求項４】
前記壁部を浴室の壁部とし、風呂蓋の収納領域に振動発生器の振動出力部を露出させ、前記振動具を風呂蓋とした請求項１に記載の振動発生器付き壁。
【発明の詳細な説明】
【技術分野】
【０００１】
本発明は、振動発生器を壁部へ取り付け、該振動発生器の振動を伝達して発音させる状態と、振動発生器の振動を遮断して発音させない状態との切り換えが選択できる振動発生器付き壁に関するものである。
【背景技術】
【０００２】
最近では、浴室にオーディオ装置を設置し、入浴動作をしながらカセットテープやＣＤの音楽を聴いたり、ＡＭ及びＦＭラジオ放送の音楽やニュースを聴いたり、テレビの音声信号を聴いたりする等の楽しみ方がある。このような浴室で音情報を楽しむ公知の技術としては、特許文献１及び特許文献２に記載された発明が公知である。
【０００３】
特許文献１に記載された発明では、バスタブ（浴槽）のフランジ上面や浴室壁面に防水用スピーカーを設け、また浴槽の中に水中用スピーカーを設けている。入浴者が浴槽に浸かっているときに、浴槽外に設けた防水用スピーカーからの音を耳で聴き、浴槽内に設けた水中用スピーカーからの音を体感し、耳と体とで音楽を感じ取ることができるようにしている。
【０００４】
これに対して、特許文献２に記載された発明では、浴室の天井パネルか壁パネル上部に小型のスピーカーを設置し、浴室内に形成されるバスタブエプロン内側などの閉空間に対応した浴室外壁に低音再生ようの大型スピーカーを設置し、浴室内に不快感のない良好な音響分布が得られるようにしている。
【特許文献１】特開平８−８０２６９号公報
【特許文献２】特開２００２−７８０５３号公報
【発明の開示】
【発明が解決しようとする課題】
【０００５】
このように特許文献１に記載された発明では、浴槽内と浴槽外の浴室内とで音を発生させており、特許文献２に記載された発明では、浴室内の空間に面した領域で音を発生させるようにしている。而して、入浴者は、音情報を聴きたいときと、聴きたくないときとがあり、これらを選択的に使い分けることができれば便利である。
ところが、これらの選択的な切り換えが行えるようにしたものはなく、特許文献１及び２に記載された発明でも明らかなように、入浴者の入浴状態に応じて音情報を聴取することができないでいた。
【０００６】
本発明は従来の前記課題に鑑みてこれを改良除去したものであって、入浴状態に応じて音を発生させたり、音を発させないようにしたり、これらを切り換えて選択できるようにした振動発生器付き壁を提供せんとするものである。
【課題を解決するための手段】
【０００７】
前記課題を解決するために本発明が採用した請求項１の手段は、壁部へ振動を伝達させないように振動発生器を当該壁部に取り付け、前記振動発生器の振動出力部に着脱可能な振動具を配設したことを特徴とする振動発生器付き壁である。
【０００８】
また本発明が採用した請求項２の手段は、前記壁部を浴槽近傍の壁部とし、前記振動具を浴槽へ浸かった入浴者の頭部を支える枕とした請求項１に記載の振動発生器付き壁である。
【０００９】
本発明が採用した請求項３の手段は、前記壁部に取り付けられる係止具に振動発生器を取り付け、前記振動具を係止具に脱着自在に係止可能とした請求項１に記載の振動発生器付き壁である。
【００１０】
本発明が採用した請求項４の手段は、前記壁部を浴室の壁部とし、風呂蓋の収納領域に振動発生器の振動出力部を露出させ、前記振動具を風呂蓋とした請求項１に記載の振動発生器付き壁である。
【発明の効果】
【００１１】
請求項１の発明にあっては、壁部へ振動を伝達させないように振動発生器を前記壁部に取り付け、前記振動発生器の振動出力部を壁部から離している。そして、前記振動出力部に着脱可能な振動具を配設している。振動発生器の振動出力部に振動具を当接させると、振動出力部の振動が振動具に伝達され、振動具自体が発音体となって発音する。そして、振動発生器の振動出力部から振動具を分離又は離反などさせると、振動発生器の振動が伝達されなくなり、発音させない状態となる。このように、この発明では発音状態と、発音させない状態とを選択的に切り換えて使用することが可能である。
【００１２】
請求項２の発明にあっては、振動発生器の振動出力部に枕を取り付けている。この発明によれば、枕全体を通じて入浴者の頭蓋骨が直接振動を受けるようになり、振動発生器の振動は頭蓋骨から脳内へ伝達され、耳小骨・蝸牛を通じて脳の聴覚神経を刺激し、音情報を脳内で発生させるようになる。そのため、入浴者は、脳内で音を感じ取ることができる。また枕自体が振動して音を発生するようになり、枕を通じて耳の鼓膜からからも音を感じ取ることが可能である。
【００１３】
請求項３の発明にあっては、壁部に取り付けられる係止具に振動発生器を取り付けている。そのため、係止具に、浴槽蓋等の振動具を係止させると、振動発生器の振動出力部から振動具へ振動が伝達され、音が発生する。つまり、浴槽蓋等の振動具を係止具へ係止させることによって、浴室内で音が発生するようにり、音発生についての切り換えが可能である。
【００１４】
請求項４の発明にあっては、風呂蓋の収納領域に壁部へ取り付けた振動発生器の振動出力部を露出させている。風呂蓋を収納すると、当該風呂蓋の一部が振動発生器の振動出力部に当接し、風呂蓋自体が発音体となって音を発生するようになる。従って、入浴者が風呂蓋を浴槽から取り外して収納領域へ収納するだけで音楽等の音情報が浴室内で発生するようになり、快適な入浴が行えるという利点がある。
【発明を実施するための最良の形態】
【００１５】
以下に、本発明の構成を図面に示す発明の実施の形態に基づいて説明すると次の通りである。図１は本発明の第１の実施の形態に係るものである。同図の図（Ａ）は浴槽１の近傍の壁部２に振動発生器３を取り付け、浴槽１のフランジ部上面１Ａに載置した枕１４が振動発生器３の振動出力部５に当接するように配置した状態を示す一部斜視図である。また同図の図（Ｂ）は同状態を示す縦断面図、図（Ｃ）は枕１４を取り外した状態を示す分解斜視図である。
【００１６】
同図に示す如く、この第１の実施の形態にあっては、浴槽１の近傍の壁部２に、振動発生器（骨伝導スピーカー）３を設置している。振動発生器３は、音情報信号を機械的な振動として出力するものであればよく、例えば、ボイスコイルを用いたエキサイター（励振器）、超磁歪式のアクチュエータ、圧電振動子を用いたアクチュエータ等の製品が公知である。同図の図（Ｂ）は、振動発生器３としてエキサイターを用いた場合を簡単に示すものである。同図に示す如く、エキサイターの振動発生器３は、本体ケーシング６の底部側（図面の左側）に凹部を備えた皿状のヨークが取り付けられており、前記凹部内に磁石が取り付けられ、更にその外周側にボビンが嵌合装着されている。ボビンの外周面にはボイスコイルが巻回されており、ボビンの上端面には振動出力部５が連結固定されて、外部へ突出している。
【００１７】
このような構成のエキサイターの振動発生器３は、浴槽１のフランジ部上面１Ａよりも僅かに上方に位置する壁部２の浴室外側に、主体部がアウターケーシング７を介して取り付けられており、壁部２から浴室内側へ前記振動出力部５が突出するように配設されている。振動発生器３は、アウターケーシング７内に固定配設された円筒状のガイド部材８内に昇降自在に装着されており、バネ９によって常時は前進位置（図面の右側停止位置）へ押圧付勢されている。アウターケーシング７は、その先端面側（図面の右側端面）に固定した筒状ボルト１０が壁部２を貫通して浴室側へ面しており、当該筒状ボルト１０にナット１１を螺着させることで壁部２を左右方向から挟持し、これに締結固定されている。この取り付け状態において、振動発生器３の振動出力部５は、ナット１１の先端面側から突出している。なお、アウターケーシング７と壁部２との間及びナット１１と壁部２との間には、振動を吸収するためのパッキン等の緩衝材１２が配設されている。図（Ｂ）において、符号１３は、振動発生器３へ音情報信号を送るための配線である。
【００１８】
前記振動発生器３の振動出力部５には、枕１４が装着されるようになっている。枕１４は、底面側が浴槽１に沿った形状を成し、壁部２側は前記ナット１１に嵌合する凹部１５を備えている。また枕１４の上面側は、人間が頭部を載せたときに、違和感が生じないように首及び後頭部に沿った形状を成している。また枕１４は、皮や合成皮革で成形された表面材１６を有し、その内部の本体部１７は発泡材やゴム、エラストマー等の軟質材料で成形されている。また本体部１７の内部には、金属や硬質樹脂材料で成形された振動板１８が人間の首及び後頭部の形状に沿った状態で埋め込まれている。更に、振動板１８は、その一部が凹部１５に臨んで露出しており、振動発生器３の振動出力部５に当接することができるようになされている。
【００１９】
次に、このように構成された音発生器付き浴槽１の使用態様を説明する。エキサイターの音発生原理は、ボイスコイルにＣＤプレイヤーやラジオ，テレビなどの音声出力部から音情報信号が流れると、その強さに応じてボイスコイルと共にボビンがピストン運動し、ボビンの先端側の振動出力部５を振動させ、振動出力部５が発音体としての振動具を振動させることで行われる。枕１４を図１の図（Ｃ）のようにセットしない状態にあっては、振動発生器３の振動出力部５はいずれの部材とも当接しておらず、フリーである。そのため、振動発生器３の振動は伝達されず、音の発生はない。
【００２０】
このような状態から図（Ａ）及び図（Ｂ）に示すように、枕１４をセットすると、振動出力部５が枕１４の振動板１８に当接し、振動板１８が振動して音を発生させる。ところが、この場合の振動板１８が発する音は、枕１４の本体部１７を構成する発泡材やゴム、エラストマー等の軟質材料が吸音材として機能し、浴室内へ音が拡散するのを防止する。そのため、振動板１８が発する音は、枕１４の近傍でしか聞こえることはない。つまり、洗場で洗髪や身体を洗っている入浴動作中の利用者は、枕１４から発する小さな音を聴取することが可能である。
【００２１】
次に、洗場での入浴動作が終了し、浴槽内の湯へ浸かり、頭部を枕１４に載置すると、振動発生器３の振動出力部５の振動を振動板１８が強く受け、枕１４の全体を通じて入浴者の頭蓋骨を直接振動させるようになる。そのため、脳内の耳小骨・蝸牛を通じて聴覚神経を刺激し、入浴者に音情報と同じ音を脳内で発生させるようになる。それに加えて、この場合は、枕１４の振動板１８自体が振動して当該振動板１８自体が音を発生しているので、枕１４の全体を通じて耳の鼓膜からからも音を感じ取ることができる。
【００２２】
枕１４を取り外した場合は、図（Ｃ）に示す状態と同じになり、振動発生器３の振動はいずれの部材へも伝達されることはなく、音の発生はない。このように、この実施の形態では音の発生を遮断したり、発音させたり、これらを任意に切り換えることが可能である。
【００２３】
図２は本発明の第２の実施の形態に係るものであり、風呂蓋１９を係止する係止具２０に圧電素子ユニットの振動発生器２１を取り付けたものである。図（Ａ）は風呂蓋１９が浴槽１の上にある場合の浴室の一部斜視図、図（Ｂ）は風呂蓋１９を係止具２０へ係止させた場合の浴室の一部斜視図、図（Ｃ）は振動発生器２１の取り付け状態を示す縦断面図、図（Ｄ）は振動発生器２１の別の取り付け状態を示す縦断面図である。風呂蓋１９は、二枚一組の組板と呼ばれる平板状部材であり、その下端側は壁部２へ固定したフック状係止具２０の凹部２２へ載置して係止される。上端側は、壁部２へ固定したストッパー本体部２３の回動自在なストッパー片２４によって引っ掛けて係止するようになっている。振動発生器２１は、図２の図（Ｃ）に示すように、係止具２０の壁部２との間に設けた空間部２５内へ配設してもよく、同図の図（Ｄ）に示すように係止具２０のフック部２６に設けた空間部２７内へ配設してもよい。圧電素子ユニットの振動発生器２１は、前記第１の実施の形態の場合と同じようにエキサイターであってもよく、超磁歪式のアクチュエータであってもよい。エキサイターの場合は、その振動出力部が係止された風呂蓋１９に当接するように配置すればよい。
【００２４】
風呂蓋１９を係止具２０へ係止させると、風呂蓋１９がその荷重によって圧電素子ユニットの振動発生器２１を押圧するようになり、振動発生器２１が振動し、その振動が風呂蓋１９に伝達される。そのため、風呂蓋１９自体が発音体となって音を発生するようになり、入浴者は浴室内で音楽などの音情報を楽しむことが可能である。風呂蓋１９を係止具２０から取り外した場合は、振動発生器２１は振動しなくなり、音を発生しない状態となる。このように、この実施の形態では、風呂蓋１９を係止具２０へ係止させるか、または係止具２０から取り外すかによって、浴室内で音情報を発生させたり、発生させないようにしたりの切り換えが可能である。
【００２５】
図３及び図４は本発明の第３の実施の形態に係るものであり、壁部２へ取り付けた係止具２８に圧電素子ユニットの振動発生器２１を組み込み、振動具（発音体）としての枕２９を前記係止具２８へ脱着自在に取り付けることで、音情報を発生させたり、発生させなくしたりの切り換え操作ができるようにしたものである。図３は発音している状態を示すものであり、図（Ａ）は浴槽１の一部斜視図、図（Ｂ）は浴槽１と係止具２８と枕２９との取付関係を示す縦断面図である。また図４は発音していない状態を示すものであり、図（Ａ）は枕１を取り外した状態を示す浴槽１の斜視図、図（Ｂ）は浴槽１と係止具２８と枕２９との取付関係を示す縦断面図である。
【００２６】
浴槽１に近接した壁部２に固定された係止具２８は、図２の図（Ｄ）に示す係止具２０と同じように、そのフック部３０の空間３１内に圧電素子ユニットの振動発生器２１が取り付けられている。係止具２０に脱着自在に取り付けられる振動具としての枕２９は、図３の図（Ｂ）に示すように、上部の背面側が係止具２８に係止され、下部の背面側が浴槽１の一部に当接し、係止具２８と浴槽１とに跨がって装着される大きさを有している。係止具２８と係合する部分には、断面Ｕ字状に形成された凹部３１が形成されている。また枕２９の前面側は、人間が頭部を載せたときに、違和感が生じないように首及び後頭部に沿った形状を成している。更に、枕２９は、図１に示す枕１４の場合と同じように、皮や合成皮革で成形された表面材１６を有し、その内部の本体部１７は発泡材やゴム、エラストマー等の軟質材料で成形されている。そして、本体部１７の内部には、金属や硬質樹脂材料で成形された振動板１８が人間の首及び後頭部の形状に沿った状態で埋め込まれている。更に、振動板１８は、その一部が前記凹部３１に臨んで露出しており、圧電素子ユニットの振動発生器２１を押圧することができるようになされている。更にまた、枕２９の上端面側には、発音させない状態にするときに、係止具２８のフック部３０へ係止させるための断面Ｕ字状の凹部３２が形成されている。
【００２７】
図３の図（Ａ）及び図（Ｂ）に示すように、音を発生させることを目的として枕２９の凹部３１を係止具２８のフック部３０に係止させると、圧電素子ユニットの振動発生器２１を枕２９が押圧するようになり、振動発生器２１が振動を開始する。この振動は、振動板１８に伝達され、振動板１８が振動して音を発生させる。ところが、この場合の振動板１８が発する音は、枕２９の本体部１７を構成する発泡材やゴム、エラストマー等の軟質材料が吸音材として機能し、浴室内へ音が拡散するのを防止する。そのため、振動板１８が発する音は、枕２９の近傍でしか聞こえることはない。つまり、洗場で洗髪や身体を洗っている入浴動作中の利用者は、枕２９から発する小さな音を聴取することが可能である。
【００２８】
次に、入浴者が洗場での入浴動作が終了し、浴槽内の湯へ浸かり、頭部を枕２９に載置すると、振動発生器２１の振動を振動板１８が強く受け、枕２９の全体を通じて入浴者の頭蓋骨を直接振動させるようになる。そのため、脳内の耳小骨・蝸牛を通じて聴覚神経を刺激し、入浴者に音情報と同じ音を脳内で発生させるようになる。それに加えて、この場合は、枕２９の振動板１８自体が振動して当該振動板１８自体が音を発生しているので、枕２９の全体を通じて耳の鼓膜からからも音を感じ取ることができる。
【００２９】
発音させない状態にするとき（枕２９を使用しないとき）は、図４の図（Ａ）及び図（Ｂ）に示すように、枕２９の上下を反転させて凹部３２を係止具２０のフック部３０へ係合させればよい。この状態では、圧電素子ユニットの振動発生器２１は押圧されていないので振動しなくなり、音の発生はない。このように、この実施の形態では、枕２９を係止具２８へ脱着させることで、音を発生させたり、音の発生を遮断したり、これらを任意に切り換えることが可能である。
【００３０】
図５は本発明の第４の実施の形態に係るものであり、風呂蓋１９の収納領域に圧電素子ユニットの振動発生器２１を取り付けた場合のものである。同図の図（Ａ）は発音させない状態の浴槽１と係止具３３と振動発生器２１を示す斜視図、図（Ｂ）は発音させている状態の同斜視図、図（Ｃ）は発音させている状態の縦断面図である。この実施の形態では、同図の図（Ａ）に示す状態では、圧電素子ユニットの振動発生器２１は押圧されておらず、振動を発生しないので発音していない。つまり、浴室内で音楽等の音情報は発音されていない状態である。
【００３１】
このような状態から同図の図（Ｂ）及び図（Ｃ）に示すように、風呂蓋１９の下端側を係止具３３へに載置し、ストッパー片２４で上端側を係止すると、風呂蓋１９によって圧電素子ユニットの振動発生器２１が押圧され、振動を発生する。この振動は風呂蓋１９に直接伝達され、風呂蓋１９自体が発音体となって音を発生するようになる。つまり、浴室内で音楽等の音情報を聴取することができる。
このように、この実施の形態では、風呂蓋１９を係止具３３へ脱着させることで、音を発生させたり、音の発生を遮断したり、これらを任意に切り換えることが可能である。
【００３２】
図６は本発明の第５の実施の形態に係るものであり、前記第４の実施の形態とは風呂蓋３４の種類と、その係止方法が異なっている。同図の図（Ａ）は発音させない状態の浴槽１と係止具３６と振動発生器２１とを示す斜視図、図（Ｂ）は発音させている状態の同斜視図、図（Ｃ）は発音させている状態の縦断面図である。風呂蓋３４は、二枚一組の組板であるが、一端側に係止用の長孔３５が穿設されている。壁部２へ固定された係止具３６は前記長孔３５へ係合するためのＬ字状の起立片３７を有している。そして、係止具３６よりも下方の風呂蓋収納領域に圧電素子ユニットの振動発生器２１が二つ併設されている。振動発生器２１は例えば、図（Ｃ）に示すように、両面粘着材を塗布した防水機能付きの防振部材３８を介して簡単に貼り付けることが可能である。この実施の形態では、同図の図（Ａ）に示す状態では、風呂蓋３４は浴槽１の上にあり、圧電素子ユニットの振動発生器２１は押圧されていないので、振動を発生していない。つまり、浴室内で音楽等の音情報は発音されていない状態である。
【００３３】
このような状態から同図の図（Ｂ）及び図（Ｃ）に示すように、風呂蓋３４の長孔３５を係止具３６の起立片３７へ挿通させてこれに係止させると、風呂蓋３４によって圧電素子ユニットの振動発生器２１が押圧され、振動を発生する。この振動は風呂蓋３４に直接伝達され、風呂蓋３４自体が発音体となって音を発生するようになる。つまり、浴室内で音楽等の音情報を聴取することができる。
このように、この実施の形態では、風呂蓋３４を係止具３６へ脱着させることで、音を発生させたり、音の発生を遮断したり、これらを任意に切り換えることが可能である。
【図面の簡単な説明】
【００３４】
【図１】本発明の第１の実施の形態に係るものであり、図（Ａ）は浴槽に対する枕の配置状態を示す一部斜視図、図（Ｂ）は同状態を示す縦断面図、図（Ｃ）は枕を取り外した状態を示す分解斜視図である。
【図２】本発明の第２の実施の形態に係るものであり、図（Ａ）は風呂蓋が浴槽の上にある場合の浴室の一部斜視図、図（Ｂ）は風呂蓋を係止具へ係止させた場合の浴室の一部斜視図、図（Ｃ）は振動発生器の取り付け状態を示す縦断面図、図（Ｄ）は振動発生器の別の取り付け状態を示す縦断面図である。
【図３】本発明の第３の実施の形態に係るものであり、発音している状態を示すものである。同図の図（Ａ）は浴室の一部斜視図、図（Ｂ）は浴槽と係止具と枕との取付関係を示す縦断面図である。
【図４】本発明の第３の実施の形態に係るものであり、発音していない状態を示すものである。同図の図（Ａ）は枕を取り外した状態を示す浴槽の斜視図、図（Ｂ）は浴槽と係止具と枕との取付関係を示す縦断面図である。
【図５】本発明の第４の実施の形態に係るものであり、風呂蓋の収納領域に圧電素子ユニットの振動発生器を取り付けた場合のものである。同図の図（Ａ）は発音させない状態の浴槽と係止具と振動発生器とを示す斜視図、図（Ｂ）は発音させている状態の同斜視図、図（Ｃ）は発音させている状態の縦断面図である。
【図６】本発明の第５の実施の形態に係るものであり、図（Ａ）は発音させない状態の浴槽と係止具と振動発生器とを示す斜視図、図（Ｂ）は発音させている状態の同斜視図、図（Ｃ）は発音させている状態の縦断面図である。
【符号の説明】
【００３５】
１…浴槽、２…壁部、３…振動発生器、５…振動出力部、６…振動発生器の本体ケーシ  ング、９…バネ、１４…枕、１８…振動板、１９…風呂蓋、２０…係止具、２１…圧電  素子ユニットの振動発生器、２８…係止具、２９…枕
【図１】
2006140669.tif 000003
【図２】
2006140669.tif 000004
【図３】
2006140669.tif 000005
【図４】
2006140669.tif 000006
【図５】
2006140669.tif 000007
【図６】
2006140669.tif 000008